(57)【特許請求の範囲】
【請求項１】
共通のアンテナを介して第１の情報信号を受信する通信システム受信ユニット（１４）であって、
前記第１の情報信号を受信する第１の情報信号入力部と、第１のグローバル・ポジショニング・システム（ＧＰＳ）情報信号を受信するＧＰＳ情報信号入力部と、
第１の受信局部発振器（ＬＯ）周波数に従い前記第１の情報信号をダウンコンバートし、第２の情報信号を生成するダウンコンバータ（９６）と、前記第１の受信ＬＯ周波数に従い前記ＧＰＳ情報信号をダウンコンバートし、第２のＧＰＳ情報信号を生成するＧＰＳダウンコンバータ（１１０）と、
前記第２の情報信号と前記第２のＧＰＳ情報信号を同時に受信し、前記受信した信号を第２の受信ＬＯ周波数と混合し、ＧＰＳベースバンド信号又は受信ベースバンド信号のいずれか一方を生成するように構成された復調器と、
を備えている通信システム受信ユニット。
【請求項２】
ＧＰＳベースバンド信号を受けるために連結されたＧＰＳプロセッサ（１４４）を更に有し、このＧＰＳプロセッサ（１４４）は、ＧＰＳ処理及びＧＰＳ取得を行なうＧＰＳエンジンを有している請求項１に記載の通信システム受信ユニット。
【請求項３】
ＧＰＳベースバンド信号を受けるために連結されたコールマンフィルタ（１４６）を更に有し、このコールマンフィルタ（１４６）は、ＧＰＳベースバンド信号を拡散しないようにしてＥ９１１サポートを与える整合フィルタを有している請求項１に記載の通信システム受信ユニット。
【請求項４】
前記第１の情報信号が符号分割多元接続（ＣＤＭＡ）信号である請求項１に記載の通信システム受信ユニット。
【請求項５】
受信ユニットは、第２の受信情報信号及び第２のＧＰＳ情報信号を受けるために連結された共通の第２の可変ゲイン増幅器を更に有し、この共通の第２の可変ゲイン増幅器は、第２の受信情報信号及び第２のＧＰＳ情報信号を増幅して復調器に送信するとともに、約９０ｄＢのダイナミックレンジを有している請求項１に記載の通信システム受信ユニット。
【請求項６】
受信ユニットは、アンテナ（２２）とＧＰＳダウンコンバータ（１１０）との間に連結され且つアンテナから受けた第１のＧＰＳ情報信号を増幅する第１のＧＰＳ低雑音増幅器（１０６）を更に有し、この第１のＧＰＳ低雑音増幅器（１０６）は、約１．５ｄＢの雑音指数及び約２０ｄＢの増幅率を有している請求項５に記載の通信システム受信ユニット。
【請求項７】
受信ユニットは、アンテナ（２２）と第１のＧＰＳ低雑音増幅器（１０６）との間に連結され且つアンテナ（２２）から受けた第１のＧＰＳ情報信号にフィルタをかけるプリセレクタフィルタ（１０２）を更に有し、このプリセレクタフィルタ（１０２）は、約１５７４．４２〜１５７６．４２ＭＨｚの通過域を有している請求項６に記載の通信システム受信ユニット。
【請求項８】
受信ユニットは、第１のＧＰＳ低雑音増幅器（１０６）とＧＰＳダウンコンバータ（１１０）との間に連結され且つ第１のＧＰＳ低雑音増幅器（１０６）によって形成された画像周波数にフィルタをかける第１のＧＰＳ画像拒絶フィルタ（１０８）を更に有し、この第１のＧＰＳ画像拒絶フィルタ（１０８）は、約１５７４．４２〜１５７６．４２ＭＨｚの通過域を有している請求項６に記載の通信システム受信ユニット。
【請求項９】
受信ユニットは、ＧＰＳダウンコンバータ（１１０）と共通の第２の可変ゲイン増幅器（１００）との間に連結され且つＧＰＳダウンコンバータ（１１０）によって形成された偽周波数にフィルタをかける第２のＧＰＳ狭周波数帯フィルタ（１１２）を更に有し、この第２のＧＰＳ狭周波数帯フィルタ（１１２）は、約２ＭＨｚの帯域幅を有している請求項５に記載の通信システム受信ユニット。
【請求項１０】
第１の受信ＬＯ周波数を形成するための共通の第１の周波数源（１３０）を更に有し、受信ダウンコンバータ（９６）は、第１の受信情報信号と第１の受信ＬＯ周波数とを混合して、第２の受信情報信号を形成し、ＧＰＳダウンコンバータ（１１０）は、第１のＧＰＳ情報信号と第１の受信ＬＯ周波数とを混合して、第２のＧＰＳ情報信号を形成する請求項１に記載の通信システム受信ユニット。
【請求項１１】
第２の受信ＬＯ周波数を形成する共通の第２の周波数源（１２２）を更に有し、復調器（１１４）は、第２の受信情報信号と第２の受信ＬＯ周波数とを混合して、受信ベースバンド信号を形成するとともに、第２のＧＰＳ情報信号と第２の受信ＬＯ周波数とを混合して、ＧＰＳベースバンド信号を形成する請求項１に記載の通信システム受信ユニット。
【請求項１２】
前記局部発振器の周波数を制御し、ＧＰＳ信号又は受信信号を受信する受信ユニットを構成する手段（１２０）を更に有する請求項１に記載の通信システム受信ユニット。
【請求項１３】
前記ダウンコンバータと前記復調器の間に連結され、前記第２の情報信号と前記第２のＧＰＳ情報信号を同時に受信して増幅する共通の増幅器を更に有する請求項１に記載の通信システム受信ユニット。
【請求項１４】
前記第１の情報信号をダウンコンバートするダウンコンバータ（９６）と前記共通の増幅器（１００）の間に連結された受信フィルタ（９８）と、前記ＧＰＳダウンコンバータ（１１０）と前記共通の増幅器（１００）の間に連結され、ＧＰＳフィルタ（１１２）とを更に有し、バンド周波数を除去する請求項１に記載の通信システム受信ユニット。
【請求項１５】
複数の通信規格のうちの任意の１つで第１の情報信号を共通のアンテナ（２２）を通じて通信するための通信システムであって、
送信ベースバンド情報信号（１８）を用いて、第２の送信局部発振器（ＬＯ）周波数（５０）を変調し、第２の送信情報信号（３２）を形成する変調器（１６）と、第１の送信ＬＯ周波数（６４）を用いて、第２の送信情報信号をアップコンバートし、少なくとも１つの第１の送信情報信号を形成するアップコンバータ（６６）と、第１の送信情報信号を通信する少なくとも１つの第１の送信情報信号出力部とを有する送信ユニット（１２）と、
請求項１〜１４のいずれかに記載の通信システム受信ユニットと、
第１の情報信号を送信及び受信する、少なくとも１つの第１の送信情報信号出力部に連結されたアンテナと、第１の受信情報信号入力部と、第１のＧＰＳ情報信号入力部と、
を備えている通信システム。
【請求項１６】
第１の受信ＬＯ周波数及び第１の送信ＬＯ周波数を形成する共通の第１の周波数源（５８，６８，１３０）を更に有し、受信ダウンコンバータ（９６）は、第１の受信情報信号と第１の受信ＬＯ周波数とを混合して、第２の受信情報信号を形成し、ＧＰＳダウンコンバータ（１１０）は、第１のＧＰＳ情報信号と第１の受信ＬＯ周波数とを混合して、第２のＧＰＳ情報信号を形成し、アップコンバータ（６６）は、第２の送信情報信号と第１の送信ＬＯ周波数とを混合して、少なくとも１つの第１の送信情報信号を形成する請求項１５に記載の通信システム。
【請求項１７】
第２の受信ＬＯ周波数及び第２の送信ＬＯ周波数を形成する共通の第２の周波数源（５８，１２２，５２）を更に有し、復調器（１１４）は、第２の受信情報信号と第２の受信ＬＯ周波数とを混合して、受信ベースバンド信号を形成するとともに、第２のＧＰＳ情報信号と第２の受信ＬＯ周波数とを混合して、ＧＰＳベースバンド信号を形成し、また、変調器（１６）は、送信ベースバンド情報信号と第２の送信ＬＯ周波数とを混合して、第２の送信情報信号を形成する請求項１５に記載の通信システム。
【請求項１８】
共通のアンテナ（２２）を介して第１の情報信号を受信する方法であって、
第１の情報信号と第１のグローバル・ポジショニング・シグナル（ＧＰＳ）情報信号を受信するステップと、
第１の受信局部発振器（ＬＯ）周波数に従って前記第１の情報信号をダウンコンバートし、第２の情報信号を生成するステップと、
前記第１の受信ＬＯ周波数に従って前記第１のＧＰＳ情報信号をダウンコンバートし、第２のＧＰＳ情報信号を生成するステップと、
前記第２の情報信号と前記第２のＧＰＳ情報信号を同時に復調器に供給するステップと、
前記復調器を用いて前記受信した信号を受信第２のＬＯ周波数と混合することによってＧＰＳベースバンド信号又は受信ベースバンド信号のいずれか一方を生成するステップと、
を有する方法。
【請求項１９】
前記ＧＰＳベースバンド信号を処理してＧＰＳ処理及びＧＰＳ取得を実行するステップを更に有する請求項１８に記載の方法。
【請求項２０】
前記第２の受信情報信号及び前記第２のＧＰＳ情報信号を同時に増幅し、前記増幅した第２の受信情報信号及び前記増幅した第２のＧＰＳ情報信号を前記復調器に送る共通の第２の可変ゲイン増幅器を用いるステップを更に有する請求項１８に記載の方法。
【請求項２１】
低雑音増幅器（１０６）を用いて前記アンテナ（２２）から受信した前記第１のＧＰＳ情報信号を増幅するステップを更に含む請求項２０に記載の方法。
【請求項２２】
アンテナ（２２）と第１のＧＰＳ低雑音増幅器との間に連結され、アンテナから受けた第１のＧＰＳ情報信号にフィルタをかけるプリセレクタフィルタを用いるステップを更に含む請求項２１に記載の方法。
【請求項２３】
第１のＧＰＳ低雑音増幅器（１０６）とＧＰＳダウンコンバータ（１１０）との間に連結され、第１のＧＰＳ低雑音増幅器によって形成された画像周波数にフィルタをかける第１のＧＰＳ画像拒絶フィルタ（１０８）を用いるステップを更に有する請求項２１に記載の方法。
【請求項２４】
ＧＰＳダウンコンバータ（１１０）と共通の第２の可変ゲイン増幅器（１００）との間に連結され、ＧＰＳダウンコンバータ（１１０）によって形成された偽周波数にフィルタをかける第２のＧＰＳ狭周波数帯フィルタ（１１２）を用いるステップを更に有する請求項２１に記載の方法。
【請求項２５】
受信ユニットによって実行され、前記局部発振器の周波数を制御し、ＧＰＳ信号又は受信信号を受信する受信ユニットを構成するステップを更に有する請求項１８に記載の方法。
【請求項２６】
受信ベースバンド信号をフィルタにかけて、帯域外周波数を除去するとともに、受信ベースバンド信号を量子化するステップと、
ＧＰＳベースバンド信号をフィルタにかけて、帯域外周波数を除去するとともに、ＧＰＳベースバンド信号を量子化するステップと、
を更に有する請求項１８に記載の方法。
【請求項２７】
複数の通信規格のうちの任意の１つで第１の情報信号を共通のアンテナを通じて通信するための方法であって、
送信ベースバンド情報信号を用いて、第２の送信ＬＯ周波数を変調することにより、第２の送信情報信号を形成し、第１の送信ＬＯ周波数を用いて、第２の送信情報信号をアップコンバートすることにより、少なくとも１つの第１の送信情報信号を形成し、少なくとも１つの第１の送信情報信号をアンテナを通じて送信するステップと、
前記アンテナからの第１情報信号を受信する請求項１８から２６までのいずれかに記載の方法と、
を有する方法。
【発明の詳細な説明】
【０００１】
発明の背景
１．発明の分野
本発明は、一般に、無線周波数（ＲＦ）送信器及び受信器（トランシーバ）を使用する通信システム及びプロセスに関する。また、特定の実施形態において、本発明は、機能ブロックを共有して、サイズ、重量、複雑度、電力消費量、コストを最小限に抑える通信・グローバル・ポジショニング・システム（ＧＰＳ）能力を有するマルチサービスシステム及びプロセスに関する。
【０００２】
２．関連技術の説明
様々な電子装置、特に、携帯電話、パーソナルポケットベル、コードレス電話等のパーソナル通信装置のサイズ、重量、複雑度、電力消費量、コストを最小限に抑えることが益々重要になってきた。そのような特性を最小限に抑える１つの方法は、電子装置において必要な構成部品及び機能の数を最小にしたり、あるいは、同じ構成部品を使用して複数の機能を実行することである。しかしながら、携帯電話等のパーソナル通信装置は、多くの場合、特定の機能を実行する電力効率が悪い多数の構成部品を有する複雑な回路を必要とする。このことは、特に、幾つかの異なる通信規格が世界的に使用され且つ複数の通信規格下で動作できる自由度を持つ携帯電話が消費者及び製造見通しから切に望まれている最新の携帯電話通信において言えることである。
【０００３】
例えば、ＧＳＭ９００（モバイル９００用のグローバルシステム）は、現在ヨーロッパ及びアジアで使用されている９００ＭＨｚの周波数帯域で作動するデジタル携帯電話規格（無線デジタル通信規格）である。ＤＣＳ１８００は、現在ヨーロッパ及びアジアでも使用されている１８００ＭＨｚの周波数帯域で作動するＧＳＭ技術に基づく他のデジタル携帯電話規格（無線デジタル通信規格）である。アメリカ合衆国は、ＤＣＳ１８００に類似するが１９００ＭＨｚの帯域で作動する第３のデジタル携帯電話規格（無線デジタル通信規格）であるＰＣＳ１９００を使用する。これらの全規格下で作動できるマルチバンド携帯電話により、消費者は広範囲に適用でき、製造メーカは費用効率が高い共通の設計により利益を得ることができる。
【０００４】
しかしながら、マルチバンド携帯電話は多数の設計課題を与える。従来のシングルバンド送信器は、一般に、２つの別個の周波数、すなわち、所定の中間周波数（ＩＦ）及びアップコンバージョンのための調整可能なＲＦを必要とする。また、従来のシングルバンド受信器も、一般に、２つの別個の周波数、すなわち、ダウンコンバージョンのための調整可能なＲＦ及び復調のための所定のＩＦを必要とする。したがって、シングルバンド携帯電話は、４つの異なる周波数源を必要とする。マルチバンド携帯電話は、各帯域における変調プロセス、アップコンバージョンプロセス、ダウンコンバージョンプロセス、復調プロセスが異なる周波数を必要とするため、問題を悪化させる。また、各帯域によって使用される異なる周波数では、各帯域の送受信機能のための異なるフィルタが必要となる。
【０００５】
携帯電話の携帯性においては、携帯電話の基本的な機能とは無関係な別の設計課題が伴う。緊急事態を伝えるための全国的な９１１システムにおいて、９１１のオペレータは、一般に、９１１の呼び出しが成された電話の位置を知り、救難連絡に応じて救急隊員を支援する。しかしながら、携帯電話は移動できるため、９１１電話呼び出しを追跡する現在の方法は、携帯電話から呼び出しがある時に位置情報を与えることができない。この問題は、９１１呼び出し全体の３０〜４０％が携帯電話からであるという調査結果を考えると、非常に重要である。この問題を扱うため、連邦通信委員会（ＦＣＣ）は、２００１年の末までに、基本的な携帯電話通信に加えて、９１１を呼び出している携帯電話の場所を約２０ｍの範囲内まで自動的に突き止めることができる能力を与えなければならないことを携帯電話サービス会社に義務付けた。この位置認識能力は、産業界において言及され、ここでは、Ｅ９１１サポートと称される。
【０００６】
緊急事態でない場合であっても、携帯電話の位置を知ることは、切なる消費者の関心である。不案内な場所にいる旅行者は、自分の携帯電話を使用して、自分の現在の位置を認識するとともに、自分が望む目的地への行き方に関する支持を受けても良い。逆に、不案内な場所にいる人は、自分の携帯電話を使用して、自分の現在の位置を認識するとともに、自分を探している相手を手助けしても良い。位置情報を提供することができる携帯電話は、そのような位置情報を使用できるナビゲーションシステムを備えたレンタカーを扱っているビジネス旅行者にとって役に立つ。不動産業者や配達サービス業者等は、家や会社を探すために位置情報を使用できても良い。
【０００７】
このように、携帯電話位置情報におけるＦＣＣが課した要件及び消費者中心のニーズは、マルチサービス能を有する携帯電話の市場を形成し、サイズ、重量、複雑度、電力消費量、コストを最小限に抑えられる携帯電話を製造するという設計課題を増やした。
【０００８】
発明の概要
したがって、本発明の実施形態は、トランシーバから９１１の呼び出しがなされた際にトランシーバの位置を自動的に供給するＥ９１１サポートを有する共有機能ブロック通信トランシーバのためのシステム及びプロセスを提供する。
【０００９】
本発明の更なる実施形態は、オペレータによって要求された際にトランシーバの位置を供給する全グローバル・ポジショニング・システム（ＧＰＳ）方式を有する共有機能ブロック通信トランシーバのためのシステム及びプロセスを提供する。
【００１０】
本発明の更なる実施形態は、周波数源、増幅器、ミキサを共有して、サイズ、重量、複雑度、電力消費量、コストを最小限に抑えるＧＰＳ能力を有する共有機能ブロック通信トランシーバのためのシステム及びプロセスを提供する。
【００１１】
これらの目的及び他の目的は、複数の通信規格のうちの任意の１つでＲＦ信号を共通のアンテナを通じて通信することができる通信システムによって達成される。通信システムは、少なくとも１つの送信ＲＦ情報信号出力部を有する送信ユニットと、少なくとも１つの受信ＲＦ情報信号入力部及びＧＰＳ  ＲＦ情報信号入力部を有する受信ユニットとを備えている。送信ユニットは、送信ベースバンド情報信号を用いて送信ＩＦを変調して送信ＩＦ情報信号を形成する変調器と、送信ＲＦを用いて送信ＩＦ情報信号をアップコンバートして少なくとも１つの送信ＲＦ情報信号を形成するアップコンバータとを備えている。受信ユニットは、受信ＲＦを用いて少なくとも１つの受信ＲＦ情報信号をダウンコンバートして受信ＩＦ情報信号を形成する受信ダウンコンバータと、受信ＲＦを用いてＧＰＳ  ＲＦ情報信号をダウンコンバートしてＧＰＳ  ＩＦ情報信号を形成するＧＰＳダウンコンバータと、受信ＩＦを用いて受信ＩＦ情報信号及びＧＰＳ  ＩＦ情報信号を復調してＧＰＳベースバンド信号及び受信ベースバンド信号を形成する復調器とを備えている。アンテナは、少なくとも１つの送信ＲＦ情報信号出力部と、少なくとも１つの受信ＲＦ情報信号入力部と、ＧＰＳ  ＲＦ情報信号入力部とに連結されて、ＲＦ情報信号を送受信する。
【００１２】
本発明のこれらの目的、他の目的、特徴、利点は、図面及び添付の請求の範囲を参照すれば、以下の本発明の実施形態の詳細な説明から当業者であれば明らかになる。
【００１３】
好ましい実施形態の詳細な説明
好ましい実施形態の以下の説明においては、好ましい実施形態の一部を成す添付図面を参照する。添付図面は、本発明の特定の実施形態を一例として示している。他の実施形態を使用しても良く、また、本発明の好ましい実施形態の範囲から逸脱することなく構造的な変更を行なっても良いことは言うまでもない。
【００１４】
携帯電話通信システム（セルラー方式（移動体通信システム））は、幾つかの異なる世界的な通信規格を使用する。複数の通信規格下で作動できる自由度を持つマルチバンド携帯電話は、消費者が広範囲にわたって適用できるとともに、費用効率が高い共通の設計によって製造メーカが利益を得ることができる。
【００１５】
費用効率が高い設計を実現するためには、マルチバンド携帯電話のサイズ、重量、複雑度、電力消費量を最小限に抑えなければならない。しかしながら、携帯電話の携帯性は、携帯電話の基本的な機能とは無関係な別の要件を与え、この要件によって設計の負担が大きくなる。携帯電話は移動性のものであるため、ＦＣＣは、２００１年の末までに、携帯電話の呼び出し９１１を自動的に突き止める能力であるＥ９１１サポートの提供を携帯電話サービス会社に義務付けた。非緊急状態であっても、携帯電話の場所を認識できれば、多くの場合、オペレータのナビゲーションに役立つ。これらのＦＣＣによって課された消費者中心の能力は、サイズ、重量、複雑度、電力消費量、費用が最小の携帯電話を製造するという設計課題に拍車をかける。
【００１６】
本発明の実施形態においては、グローバル・ポジショニング・システム（ＧＰＳ）技術を使用して、位置情報を形成する。ＧＰＳは、衛星群を使用してＧＰＳ衛星群によって伝えられるＧＰＳ信号の受け取り場所を特定するシステムである。ＧＰＳ能力の全てがＥ９１１サポートを提供する必要はない。本発明の実施形態に係るＥ９１１サポートだけを有する携帯電話は、全ＧＰＳ方式の処理能力の一部だけを使用するとともに、計算が実行される基地局のサーバに情報を送る。しかしながら、本発明の実施形態は、基本的なＧＰＳエンジンを含み且つ殆どまたは全てのＲＦ及びベースバンド処理・取得を携帯電話の中で行なう全ＧＰＳ方式を有する携帯電話を含めている。携帯電話の縦座標及び横座標（あるいは、他の地理座標情報）を与える場合には、常に、全ＧＰＳ能力を用いて、ＧＰＳが呼び出される。
【００１７】
したがって、本発明の実施形態は、帯域及びサービス間で周波数源、増幅器、ミキサを共有するＧＰＳ能力を有する共有機能ブロック通信トランシーバに関する。しかしながら、本発明の実施形態に係るトランシーバは、携帯電話通信に固有のものではなく、無線送信システムや有線システムを含む様々な通信エレクトロニクスに使用されても良い。したがって、ここで説明される本発明の実施形態は、様々な形式の通信システムを含んでいても良い。しかしながら、本発明の開示無いようを簡略化するため、ここでは、デジタル携帯電話、デジタルコードレス電話、デジタルポケベル、これらの組み合わせ等を含むがこれらに限定されないパーソナル無線通信システムに関する本発明の好ましい実施形態を説明する。このようなパーソナル通信システムは、一般に携帯でき或は遠く離れて位置される、１または複数の送受信ユニットを有している。
【００１８】
具体的には、例示のため、以下では、ＧＰＳ及び１つの携帯電話通信規格である符号分割多重アクセス方式（符号分割多元接続）（ＣＤＭＡ）を中心に説明する。ＣＤＭＡ−９００では、携帯電話契約者ユニットが８２４〜８４９ＭＨｚの送信帯域にわたって信号を送信し且つ８６９〜８９４ＭＨｚの受信帯域にわたって信号を受信するように、周波数帯域が割り当てられる。これに加えて、ここで説明するＣＤＭＡ−９００能力は、ＣＤＭＡサービスが利用不可能な時に、アナログ高性能携帯電話システム（ＡＭＰＳ）モードで作動することができる。しかしながら、以下のＣＤＭＡに対する言及は、ＣＤＭＡ−１９００（１９００ＭＨｚ帯域で作動するＣＤＭＡ）または任意の他の通信規格にも当てはめることができる。なお、ＣＤＭＡに関してここで説明する方法と同じ方法でＧＰＳ能力と通信する際には、ＧＳＭ、ＥＧＳＭ、ＤＣＳ、ＰＣＳ等の他の通信規格も使用することができるが、これらに限定されない。
【００１９】
本発明の実施形態に係る通信システムの一般的な構成が図１に示されている。図示のように、トランシーバ１０は、通信チャンネル４２にわたって通信できるように連結された送信ユニット１２と受信ユニット１４とを有している。送信ユニット１２は、信号源（図１に示されていない）からの送信ベースバンド情報信号１８を受けるように連結された変調器１６を有している。典型的な一実施形態において、信号源は、例えば、音波を電子信号に変換してサンプリングするマイクロホンと、サンプリングするとともに電子信号を音波を示すデジタル信号に変換するＡＤ変換エレクトロニクスとを有していても良い。他の実施形態において、信号源は、チャンネル４２にわたって通信するためのデジタルデータ信号を形成する任意の適当な装置、例えば、キーボード、デジタルボイスエンコーダ、マウス、または、他のユーザ入力装置、センサ、モニタ、試験装置等を有していても良いが、これらに限らない。
【００２０】
変調器１６は、送信器２０への出力として、送信ＩＦ情報信号３２を形成する。アンテナ２２から送信するため、送信器２０によって送信ＲＦ情報信号２６が形成される。受信ユニット１４は、アンテナ２２に連結されて受信ＲＦ情報信号４４を処理する受信器２４を有している。受信器２４は、復調器２８に送られる変調された受信ＩＦ情報信号３４を形成する。復調器２８は、受信ＩＦ情報信号３４を復調して、受信ベースバンド情報信号４６を形成する。
【００２１】
復調器２８からの復調された受信ベースバンド情報信号４６は、トランシーバ１０の使用形態に応じて、信号処理エレクトロニクスや音生成エレクトロニクス等に供給されても良い。送信ユニット１２及び受信ユニット１４は、信号の送受信を行ない且つトランシーバ１０の性質や用途に特有の他の機能を果たすための技術的に良く知られた構成部品や電源装置等を更に有している。
【００２２】
携帯電話の実施形態やコードレス電話の実施形態といった好ましいトランシーバの実施形態において、送信ユニット１２及び受信ユニット１４はそれぞれ、送信ユニット及び受信ユニットの両方の機能を持つように構成されている。１つのシステムの実施形態において、送信ユニット１２及び受信ユニット１４は、これらの間で直接に信号を送受信する。他のシステムの実施形態において、送信ユニット１２及び受信ユニット１４は、１または複数の別のトランシーバステーション３０（中継局、基地局、セルステーション等）を介して通信を行なう。
【００２３】
図２の変調器１６に示されるように、デジタル携帯電話システムの実施形態またはコードレス電話システムの実施形態において、送信ベースバンド情報信号１８は、ベースバンドＩチャンネル信号及びベースバンドＱチャンネル信号の形態を成すサンプルされたボイス（またはサウンド）信号をエンコーダ３６に供給する。１つの好ましい携帯電話の実施形態において、エンコーダ３６は、位相シフトキーエンコーダ、例えば、差動エンコーダ（π／４ＤＱＰＳＫ）を有するπ／４シフト直交位相シフトキーマッパーを備えているが、これに限定されない。また、整形フィルタ３８は、エンコーダ出力信号を滑らかにするパルス整形フィルタを備えている。π／４ＤＱＰＳＫ及びパルス形成エレクトロニクスの例は、１９９４年に開催されたパーソナル・インドア・移動無線通信における第５回ＩＥＥＥ国際シンポジウムでのテツ・サカタ、カズヒコ・セキ、シュージ・クボタ及びシュウゾウ・カトウ（Ｔｅｔｓｕ  Ｓａｋａｔａ，  Ｋａｚｕｈｉｋｏ  Ｓｅｋｉ,  Ｓｈｕｊｉ  Ｋｕｂｏｔａ，  Ｓｈｕｚｏ  Ｋａｔｏ）による「パーソナル通信端末のためのπ／4シフトＤＱＰＳＫデジタル変調器ＬＳＩＣ」と題する論文（参照することによって本願に組み込まれる）に記載されている。他の実施形態は、振幅シフトキーイング手法及び周波数シフトキーイング手法を含むがこれに限定されない他の適当なエンコーディング手法を使用する。
【００２４】
エンコーダのＩ出力及びＱ出力は、形状フィルタ３８を通過した後、周波数変換・変調エレクトロニクス４０に送られる。また、周波数変換・変調エレクトロニクス４０の出力は、送信ＩＦ情報信号３２を構成する。送信ＩＦ情報信号３２は、その後、図１に示されるように、送信ＲＦ情報信号２６を送信用のアンテナ２２に供給する送信器２０に供給される。
【００２５】
本発明の実施形態に係るＧＰＳ能力を有する共有機能ブロック通信トランシーバ４８が図３に示されている。トランシーバ４８は、図２に関して説明した変調器１６を有している。図示して説明するため、図３のＧＰＳ能力を有する通信トランシーバ４８は、ＣＤＭＡ通信規格とＧＰＳ通信規格との間で切換可能である。
【００２６】
ＣＤＭＡ送信経路において、周波数変換・変調エレクトロニクス４０は、形状フィルタ３８のＩ出力及びＱ出力を受けるとともに、Ｉ出力及びＱ出力を用いて送信ＩＦ  ＬＯ５０を変調して、送信ＩＦ情報信号３２を形成する。送信ＩＦ  ＬＯ５０は、送信ＩＦループエレクトロニクス５６により基準源５８に対して位相固定された送信ＩＦ周波数源５４を備える送信ＩＦ周波数ジェネレータ５２によって形成される。本発明の好ましい実施形態において、送信ＩＦ周波数源５４は、電圧制御発振器（ＶＣＯ）である。しかしながら、本発明の他の実施形態において、送信ＩＦ周波数源５４は、任意の調整可能な周波数源であっても良い。
【００２７】
送信ＩＦ情報信号３２は、その後、送信器２０の送信ＩＦ可変ゲイン増幅器（ＶＧＡ）６０によって増幅される。ＣＤＭＡ通信規格は、＋７３ｄＢダイナミックレンジ要件を示す＋２３ｄＢから−５０ｄＢｍの送信出力制御をアンテナで必要とする。送信ＩＦ  ＶＧＡ６０は、基地局から受けたコマンドに基づいてその増幅率（ゲイン）を調整することにより、この出力制御を与える。
【００２８】
送信ＩＦ  ＶＧＡ６０の出力は、その後、受信帯域ノイズフロア要件を満たすために、受信帯域で送信ＩＦ  ＶＧＡ６０によって形成されるノイズを除去する送信ＩＦフィルタ６２に通される。送信ＩＦフィルタ６２は、ＩＦ搬送周波数とほぼ等しい中心周波数と、変調されて増幅された送信ＩＦ情報信号を最小限の歪みで十分に通すことができる帯域幅とを有する。図３のＣＤＭＡの例において、送信ＩＦ情報信号の変調帯域幅は１．２５ＭＨｚである。したがって、送信ＩＦフィルタ６２の帯域幅は、少なくとも１．２５ＭＨｚでなければならない。好ましい実施形態において、送信ＩＦフィルタ６２の帯域幅は約５ＭＨｚである。変調されて増幅され且つフィルタに通された送信ＩＦ情報信号は、その後、送信アップコンバータミキサ６６内で送信ＲＦ  ＬＯ６４と混合される。好ましい実施形態において、送信アップコンバータミキサ６６は、送信ＩＦフィルタ６２の出力と送信ＲＦ  ＬＯ６４との間の差を形成する。他の実施形態（非ＣＤＭＡ）では、送信アップコンバータミキサ６６が変換ループアップコンバータ（図３には示されていない）に取って代えられる。
【００２９】
本発明の実施形態において、送信ＲＦ  ＬＯ６４は、送信ＲＦループエレクトロニクス７２により基準源５８に対して位相固定された送信ＲＦ周波数源７０を有する送信ＲＦ周波数ジェネレータ６８によって形成される。好ましい実施形態において、送信ＲＦ周波数源７０はＶＣＯを備えている。しかしながら、他の実施形態において、送信ＲＦ周波数源７０は任意の調整可能な周波数源であっても良い。
【００３０】
送信アップコンバータミキサ６６の出力は、第１の送信ＲＦフィルタ７４に通される。この第１の送信ＲＦフィルタ７４は、８２４〜８４９ＭＨｚのＣＤＭＡ／アナログＡＭＰＳ送信帯域を網羅する通過域を有しており、これにより、送信アップコンバータミキサ６６によって形成される偽周波数を除去する。第１の送信ＲＦフィルタ７４の出力は、その後、送信ＲＦドライバ増幅器７６によって増幅される。送信ＲＦドライバ増幅器７６は、送信ＲＦフィルタ７４の低レベル出力を取得して、それを０．１０ｄＢｍオーダーの中レベルまで増幅する。送信ＲＧドライバ増幅器７６の出力は、その後、第２の送信ＲＦフィルタ７８に通される。第２の送信ＲＦフィルタ７８は、８２４〜８４９ＭＨｚのＣＤＭＡ／アナログＡＭＰＳ送信帯域を網羅する通過域を有しており、これにより、送信ＲＦドライバ増幅器７６によって形成されるＣＤＭＡ／アナログＡＭＰＳ受信帯域のノイズを除去する。第２の送信ＲＦフィルタ７８の出力は、その後、送信ＲＦ電力増幅器８０によって増幅され、これにより、アンテナ２２での出力要件を満たす十分なレベルの送信ＲＦ情報信号２６が形成される。送信ＲＦ情報信号２６は、その後、送受切換器８２に通される、送受切換器８２は、８２４〜８４９ＭＨｚのＣＤＭＡ送信帯域を網羅する送信通過域を有しており、これにより、送信ＲＦ電力増幅器８０によって形成される帯域外ノイズを除去する。送受切換器８２の出力は、その後、アンテナ２２によって送信される前に、アンテナカップリングエレクトロニクス８６内のサービス選択スイッチ８４を通過する。
【００３１】
ＣＤＭＡ／アナログＡＭＰＳ受信経路において、アンテナ２２からの信号は、アンテナカップリングエレクトロニクス８６に入る。このアンテナカップリングエレクトロニクス８６において、アンテナ２２からの信号は、サービス選択スイッチ８４を通過するとともに、８６９〜８９４ＭＨｚのＣＤＭＡ／アナログＡＭＰＳ受信帯域を網羅する受信通過域を有してＣＤＭＡ／アナログＡＭＰＳ信号のみを通過させる送受切換器８２を通る。送受切換器８２の出力は受信ＲＦ情報信号４４である。この受信ＲＦ情報信号４４は、本発明の好ましい実施形態においては、可変ゲイン減衰器８８を通過する。可変ゲイン減衰器８８は、受けた信号を選択的に減衰させて、ＣＤＭＡ通信規格の携帯電話受信帯域混変調要件を満たすようにする。しかしながら、他の実施形態においては、受信ＲＦ低雑音増幅器（ＬＮＡ）９０を選択的に迂回することによって減衰制御が成されても良く、あるいは、可変ゲイン減衰器８８の代わりに、可変ゲイン受信ＲＦ  ＬＮＡ９０が使用されても良い。
【００３２】
可変ゲイン減衰器８８の出力は、その後、受信ＲＦ  ＬＮＡ９０によって増幅される。本発明の好ましい実施形態において、受信ＲＦ  ＬＮＡ９０は、約２０ｄＢのゲインで約１．５ｄＢの雑音指数（ＮＦ）を有している。
【００３３】
受信ＲＦ  ＬＮＡ９０の出力は、その後、受信ＲＦ画像拒絶フィルタ９２に通される。受信ＲＦ画像拒絶フィルタ９２は、８６９〜８９４ＭＨｚのＣＤＭＡ／アナログＡＭＰＳ受信帯域を網羅する帯域幅を有する帯域通過フィルタであり、受信ＲＦ  ＬＮＡ９０によって形成され且つダウンコンバータ（周波数逓降器）ミキサ９６内で受信ＲＦ  ＬＯ９４と混合して望ましくないＩＦ帯域の信号を形成することができる画像ノイズを除去する。他の実施形態においては、ＲＦ画像拒絶フィルタの必要性を無くすために、画像拒絶ミキサを使用することができる。
【００３４】
本発明の実施形態において、受信ＲＦ  ＬＯ９４は受信ＲＦ周波数ジェネレータ１３０によって形成される。受信ＲＦ周波数ジェネレータ１３０は、受信ＲＦループエレクトロニクス１３６により基準源５８に対して位相固定された受信ＲＦ周波数源１３４を備えている。好ましい実施形態において、受信ＲＦ周波数源１３４はＶＣＯである。しかしながら、他の実施形態において、受信ＲＦ周波数源１３４は、任意の調整可能な周波数源であっても良い。
【００３５】
本発明の好ましい実施形態において、受信ダウンコンバータミキサ９６は、受信ＲＦ画像拒絶フィルタ９２の出力と、ここでは受信ＩＦ情報信号１５８として示される受信ＲＦ  ＬＯ９４との間の差を形成する。受信ＩＦ情報信号１５８は、その後、１．２５ＭＨｚのＣＤＭＡ変調帯域幅を網羅する帯域幅を有する狭周波数帯ＣＤＭＡ受信ＩＦフィルタ９８、または、３０ｋＨｚのＡＭＰＳ変調帯域幅を網羅する帯域幅を有する狭周波数帯ＡＭＰＳ受信ＩＦフィルタ９９を通過する。フィルタの選択は、ＣＤＭＡが使用されるかＡＭＰＳが使用されるかに応じて、切換選択することができる。これらのフィルタは、受信ダウンコンバータミキサ９６によって形成される偽周波数を除去する。
【００３６】
狭周波数帯ＣＤＭＡ受信ＩＦフィルタ９８及び狭周波数帯ＡＭＰＳ受信ＩＦフィルタ９９の出力は、その後、共通のＩＦ  ＶＧＡ１００に供給される。好ましい実施形態において、共通のＩＦ  ＶＧＡ１００は、約９０ｄＢのダイナミックレンジを有している。共通のＩＦ  ＶＧＡ１００は、その増幅率（ゲイン）を調整して比較的一定のレベルを維持することにより、自動増幅率制御を受信経路中の量子化器に与える。共通のＩＦ  ＶＧＡ１００の出力は、共通ＩＦ情報信号１５６である。
【００３７】
共通ＩＦ情報信号１５６は、受信ＩＦ  ＬＯ１３２と混合されるとともに、復調器２８の周波数変換・復調エレクトロニクス１１４によって復調される。本発明の実施形態において、受信ＩＦ  ＬＯ１３２は、受信ＩＦ周波数ジェネレータ１２２によって形成される。この受信ＩＦ周波数ジェネレータ１２２は、受信ＩＦループエレクトロニクス１２８により基準源５８に対して位相固定された受信ＩＦ周波数源１２４を備えている。好ましい実施形態において、受信ＩＦ周波数源１２４はＶＣＯである。しかしながら、他の実施形態において、受信ＩＦ周波数源１２４は、任意の調整可能な周波数源であっても良い。
【００３８】
周波数変換・復調エレクトロニクス１１４は、ここではＤＣまたは「近似ＣＤ」ＩＦ（例えば、約１ＭＨｚの中心周波数）として定義されるベースバンド情報信号１４８を形成する。ＣＤＭＡモードにおいて、これらのベースバンド情報信号１４８は、周波数変換・復調エレクトロニクス１１４により形成された偽周波数を除去するためにＣＤＭＡベースバンドフィルタ１１６及びアナログＡＭＰＳベースバンドフィルタ１４０を通る受信ベースバンド信号を構成する。アナログＡＭＰＳベースバンドフィルタ１４０は、アナログＡＭＰＳ受信ベースバンド信号の変調帯域幅を収容する約３０ｋＨｚの帯域幅を有するとともに、受信ベースバンド信号がＤＣである場合には低域通過フィルタであっても良く、受信ベースバンド信号が近似ＤＣである場合には帯域通過フィルタであっても良い。ＣＤＭＡベースバンドフィルタ１１６は、ＣＤＭＡ受信ベースバンド信号の変調帯域幅を収容する約１．２５ＭＨｚの帯域幅を有するとともに、受信ベースバンド信号がＤＣである場合には低域通過フィルタであっても良く、受信ベースバンド信号が近似ＤＣである場合には帯域通過フィルタであっても良い。フィルタを通って復調された受信ベースバンド信号は、その後、量子化器１１８によって処理される。量子化器１１８は、ＣＤＭＡ  Ｉ出力及びＣＤＭＡ  Ｑ出力１５０と、アナログＡＭＰＳ  Ｉ出力及びアナログＡＭＰＳ  Ｑ出力１５２とを形成する。好ましい実施形態において、量子化器１１８はアナログ・デジタル変換器（ＡＤＣ）である。
【００３９】
ＧＰＳ受信経路において、アンテナ２２から集められたＧＰＳ  ＲＦ情報信号１０４は、サービス選択スイッチ８４と、プリセレクタフィルタ１０２とを通過する。プリセレクタフィルタ１０２は、１５７５．４２ＭＨｚ±１ＭＨｚのＧＰＳ受信帯域を網羅する通過域を有しており、ＧＰＳ周波数のみを通過させて帯域外周波数を除去する。フィルタに通されたＧＰＳ  ＲＦ情報信号は、その後、アンテナ２２から受けたＧＰＳ  ＲＦ情報信号を増幅するためのＧＰＳ  ＲＦ  ＬＮＡ１０６を通過する。本発明の好ましい実施形態において、ＧＰＳ  ＲＦ  ＬＮＡ１０６は、約２０ｄＢのゲインで約１．５ｄＢの雑音指数（ＮＦ）を有している。
【００４０】
受信ＧＰＳ  ＲＦ  ＬＮＡ１０６の出力は、その後、ＧＰＳ  ＲＦ画像拒絶フィルタ１０８に通される。ＧＰＳ  ＲＦ画像拒絶フィルタ１０８は、約１５７５．４２ＭＨｚ±１ＭＨｚの帯域幅を有する帯域通過フィルタであり、ＧＰＳ  ＲＦ  ＬＮＡ１０６によって形成され且つ受信ＲＦ  ＬＯ９４と混合して望ましくないＩＦ帯域の信号を形成することができる画像ノイズを除去する。他の実施形態においては、ＲＦ画像拒絶フィルタの必要性を無くすために、画像拒絶ミキサを使用することができる。
【００４１】
本発明の実施形態において、ＧＰＳダウンコンバータミキサ１１０は、ここではＧＰＳ  ＩＦ情報信号１６０として示される、ＧＰＳ  ＲＦ画像拒絶フィルタ１０８の出力と受信ＲＦ  ＬＯ９４との間の差を形成する。ＣＤＭＡのＲＦ周波数とＧＰＳのＲＦ周波数は異なっているため、ＧＰＳダウンコンバータミキサ１１０によって使用される受信ＲＦ  ＬＯ９４は、受信ＲＦ周波数源１３４によって形成されない。その代わり、ＧＰＳダウンコンバータミキサ１１０によって使用される受信ＲＦ  ＬＯ９４は、受信ＲＦ周波数源１３４と並列で且つ受信ＲＦループエレクトロニクス１３６により基準源５８に対して位相固定されたＧＰＳ  ＲＦ周波数源１３８によって形成される。好ましい実施形態において、ＧＰＳ  ＲＦ周波数源１３８はＶＣＯである。しかしながら、他の実施形態において、ＧＰＳ  ＲＦ周波数源１３８は任意の調整可能な周波数源であっても良い。
【００４２】
ＧＰＳ  ＩＦ情報信号１６０は、その後、ＧＰＳダウンコンバータミキサ１１０によって形成される偽周波数を除去する狭周波数帯ＧＰＳ  ＩＦフィルタ１１２を通過する。狭周波数帯ＧＰＳ  ＩＦフィルタ１１２は、ＧＰＳ変調帯域幅を収容する約２ＭＨｚの帯域幅を有している。狭周波数帯ＧＰＳ  ＩＦフィルタ１１２の出力は、その後、共通のＩＦ  ＶＧＡ１００によって増幅される。他の実施形態においては、狭周波数帯ＧＰＳ  ＩＦフィルタ１１２及び狭周波数帯ＣＤＭＡ受信ＩＦフィルタ９８が、ＧＰＳ変調帯域幅及びＣＤＭＡ変調帯域幅の両方を網羅する帯域幅を有する１つのフィルタに組み合わされる場合、受信器前置機能ブロックを共有することができる。
【００４３】
前述したように、狭周波数帯ＣＤＭＡ受信ＩＦフィルタ９８及び狭周波数帯ＡＭＰＳ受信ＩＦフィルタ９９の出力は、共に、共通のＩＦ  ＶＧＡ１００によって増幅され、これによって、共通ＩＦ情報信号１５６が形成される。サービス選択スイッチ８４によって制御される時は常に一方のフィルタを信号が通過するため、これらのフィルタの出力を直接に結合することができる。しかしながら、本発明の他の実施形態においては、ＣＤＭＡ帯域及びＧＰＳ帯域の両方を網羅することができるミキサ及び切換可能な広帯域ＬＮＡが使用される場合には、受信器前置ブロックを共有しても良い。そのような実施形態において、並列な複数のＬＮＡ、フィルタ、ミキサは、ＧＰＳ  ＲＦ情報信号１０４または受信ＲＦ情報信号４４に対して切換可能に連結できる単一のＬＮＡ、フィルタ、ミキサに取って代えられる。
【００４４】
共通ＩＦ情報信号１５６は、その後、復調器２８内の周波数変換・復調エレクトロニクス１１４によって受信ＩＦ  ＬＯ１３２と混合されて復調される。ＣＤＭＡ／アナログＡＭＰＳ及びＧＰＳのＩＦ周波数は異なっているため、ＧＰＳ復調のために使用される受信ＩＦ  ＩＯ１３２は、受信ＩＦ周波数源１２４によって形成されない。その代わり、ＧＰＳ復調のために使用される受信ＩＦ  ＬＯ１３２は、受信ＩＦ周波数源１２４と並列で且つ受信ＩＦループエレクトロニクス１２８により基準源５８に対して位相固定されたＧＰＳ  ＩＦ周波数源１２６によって形成される。本発明の好ましい実施形態において、ＧＰＳ  ＩＦ周波数源１２６はＶＣＯである。しかしながら、他の実施形態において、ＧＰＳ  ＩＦ周波数源１２６は任意の調整可能な周波数源であっても良い。
【００４５】
周波数変換・復調エレクトロニクス１１４は、ベースバンド情報信号１４８を形成する。ＧＰＳモードにおいて、これらのベースバンド情報信号１４８は、周波数変換・復調エレクトロニクス１１４によって形成された偽周波数を除去するためにＧＰＳベースバンドフィルタ１４２に通されるＧＰＳベースバンド信号を構成する。ＧＰＳベースバンドフィルタ１４２は、ＧＰＳベースバンド信号の変調帯域幅を収容する約２MＨｚの帯域幅を有するとともに、受信ベースバンド信号がＤＣである場合には低域通過フィルタであっても良く、受信ベースバンド信号が近似ＤＣである場合には帯域通過フィルタであっても良い。フィルタに通されて復調された信号は、その後、ＧＰＳ  Ｉ出力及びＧＰＳ  Ｑ出力１５４を形成する量子化器１１８によって処理される。
【００４６】
図４に示される発明の実施形態においては、量子化器１１８のＧＰＳ  Ｉ出力及びＧＰＳ  Ｑ出力１５４を全ＧＰＳプロセッサ１４４に連結することにより、全ＧＰＳ処理が成される。本発明の好ましい実施形態において、全ＧＰＳプロセッサ１４４は、スコルピオ（登録商標）装置、ロックウェル部品番号１１５７７であり、参照することにより本願に組み込まれる。
【００４７】
図５に示される本発明の他の実施形態において、Ｅ９１１サポート能力は、周波数変換・復調エレクトロニクス１１４とＧＰＳベースバンドフィルタ１４２との間にコールマンフィルタ１４６を連結することにより与えられる。コールマンフィルタ１４６は、全ＧＰＳプロセッサ１１４の一部であり、スペクトラム拡散ＧＰＳ  Ｉ出力及びＱ出力を拡散しないようにすることによりベースバンドモデム（受信器、コントローラ、全てのベースバンドデジタル信号処理（ＤＳＰ）を備えている）によるベースバンド処理が可能な形式のベースバンド信号を形成する整合フィルタを備えている。コールマンフィルタ１４６は全ＧＰＳプロセッサ１４４の一部であるため、全ＧＰＳ能力及びＥ９１１サポートを有する本発明の他の実施形態は、全ＧＰＳプロセッサ１４４だけを必要とし、コールマンフィルタ１４６を必要としない。
【００４８】
再び図３を参照すると、本発明の実施形態において、サービスセレクタエレクトロニクス１２０は、ＣＤＭＡまたはＧＰＳ操作のためのＧＰＳ能力４８を有する通信トランシーバを構成する。本発明の好ましい実施形態において、サービスセレクタエレクトロニクス１２０は、遠隔命令によってプログラム可能なプロセッサである。他の実施形態において、サービスセレクタエレクトロニクス１２０は、工場でプログラム可能な論理回路またはユーザ設定可能な論理を備えていても良い。サービスセレクタエレクトロニクス１２０がＣＤＭＡ操作のために構成されている場合、サービス選択スイッチ８４は、送受切換器８２をアンテナ２２に連結するように構成され、受信ＲＦ周波数ジェネレータ１３０は、受信ＲＦ周波数源１３４を受信ダウンコンバータミキサ９６に連結するように構成され、受信ＩＦ周波数ジェネレータ１２２は、受信ＩＦ周波数源１２４を周波数変換・復調エレクトロニクス１１４に連結するように構成されている。サービスセレクタエレクトロニクス１２０がＧＰＳ操作のために構成されている場合、サービス選択スイッチ８４は、プリセレクタフィルタ１０２をアンテナ２２に連結するように構成され、受信ＲＦ周波数ジェネレータ１３０は、ＧＰＳ  ＲＦ周波数源１３８を受信ダウンコンバータミキサ９６に連結するように構成され、受信ＩＦ周波数ジェネレータ１２２は、ＧＰＳ  ＩＦ周波数源１２６を周波数変換・復調エレクトロニクス１１４に連結するように構成される。
【００４９】
前述した本発明の実施形態では、別個の送信ＩＦループエレクトロニクス５６及び受信ＩＦループエレクトロニクス１２８と共に、別個の送信ＩＦ周波数源５４と、受信ＩＦ周波数源１２４と、ＧＰＳ  ＩＦ周波数源１２６とが使用される。しかしながら、本発明の他の実施形態において、受信ＩＦ周波数源１２４及びＧＰＳ  ＩＦ周波数源１２６は共通のＩＦ周波数源を備えて（構成して）いても良く、あるいは、更に他の実施形態において、送信ＩＦ周波数源５４、受信ＩＦ周波数源１２４、ＧＰＳ  ＩＦ周波数源１２６は、共通のＩＦ周波数源を備えて（構成して）いても良く、また、送信ＩＦループエレクトロニクス５６及び受信ＩＦループエレクトロニクス１２８は、同じエレクトロニクスを備えて（構成して）いても良い。このような実施形態において、サービスセレクタエレクトロニクス１２０は、共通のループエレクトロニクスを構成して、共通の周波数源から所望の周波数を形成する。
【００５０】
前述した本発明の実施形態では、別個の送信ＲＦループエレクトロニクス７２及び受信ＲＦループエレクトロニクス１３６と共に、別個の送信ＲＦ周波数源７０と、受信ＲＦ周波数源１３４と、ＧＰＳ  ＲＦ周波数源１３８とが使用される。しかしながら、本発明の他の実施形態において、受信ＲＦ周波数源１３４及びＧＰＳ  ＲＦ周波数源１３８は共通のＲＦ周波数源を備えて（構成して）いても良く、あるいは、更に他の実施形態において、送信ＲＦ周波数源７０、受信ＲＦ周波数源１３４、ＧＰＳ  ＲＦ周波数源１３８は、共通のＲＦ周波数源を備えて（構成して）いても良く、また、送信ＲＦループエレクトロニクス７２及び受信ＲＦループエレクトロニクス１３６は、同じエレクトロニクスを備えて（構成して）いても良い。このような実施形態において、サービスセレクタエレクトロニクス１２０は、共通のループエレクトロニクスを構成して、共通の周波数源から所望の周波数を形成する。
【００５１】
なお、先の説明は、マルチサービスＣＤＭＡ／アナログＡＭＰＳ及びＧＰＳ能力に関するものであるが、本発明の他の実施形態は、マルチバンド及びマルチサービスのトランシーバにまで及び得る。例えば、ＧＰＳ能力と共に、ＣＤＭＡやＧＳＭといった複数の通信規格下で動作できる携帯電話通信（移動体通信）を使用しても良い。他の実施形態に係るマルチバンドトランシーバは、ＲＦ域で平行機能ブロックを組み合わせて使用するとともに、ＩＦ域で共有機能ブロックを組み合わせて使用する。
【００５２】
したがって、先の説明によれば、本発明の好ましい実施形態は、送信器と受信器との間及び帯域間で同じ周波数源及びフィルタを共有して、サイズ、重量、複雑度、電力消費量、費用を最小限に抑えるマルチバンド通信ユニットのためのシステム及びプロセスを提供する。
【００５３】
本発明の好ましい実施形態の前述した説明は、例示的なものとして与えられている。開示された正にその形態に本発明を限定するつもりはない。本発明の範囲は、この詳細な説明によって限定されるものではなく、ここに添付された請求の範囲によって規定されるものである。
【図面の簡単な説明】
【図１】  図１は本発明の一実施形態に係るシステム環境を示すブロック図である。
【図２】  図２は図１のシステムの変調器を示す更に詳細なブロック図である。
【図３】  図３は本発明の実施形態に係るＧＰＳ能力を有する共有機能ブロック通信トランシーバを示すブロック図である。
【図４】  図４は本発明の実施形態に係る全ＧＰＳ方式を与える全ＧＰＳプロセッサに連結された復調器を示すブロック図である。
【図５】  図５は本発明の実施形態に係るＥ９１１サポートを与えるコールマンフィルタを備えた復調器を示すブロック図である。
【図１】
0004509474.tif 000002
【図２】
0004509474.tif 000003
【図３】
0004509474.tif 000004
【図４】
0004509474.tif 000005
【図５】
0004509474.tif 000006